(57)【要約】【課題】簡易な構造で、補助スイッチをしゃ断器本体の補助装置格納部の定位置に精度よく位置決めして係止固定できるようにする。【解決手段】回路しゃ断器の本体ケース１に形成した付属装置格納部８（穴）にカセット式の付属スイッチ７を装着し、該スイッチをしゃ断器本体の開閉レバー６に連繋させて開閉操作するようにした回路しゃ断器において、付属スイッチを定位置に係止固定する手段として、付属スイッチのケース背面に形成した係合溝７ｊ，およびこれに対峙して本体ケースの壁面に形成した位置決め用の係合突起９を設けるとともに、補助スイッチのケースの前面には上下スライド式のカバー７ｊを被着し、補助スイッチを格納部に挿入して係合溝／係合突起を嵌め合せた状態で、前記スライド式カバーを引下げて格納部の開口縁に嵌合し、付属スイッチをこの定位置から動かないように固定させる。【選択図】　　　図１
2004022443.tif 000002
【特許請求の範囲】
【請求項１】
しゃ断器本体のケースがポケット状の付属装置格納部を有し、該格納部に挿入して定位置に装着したカセット式付属スイッチをしゃ断器本体の開閉機構に連繋させて開閉操作するようにした回路しゃ断器において、
前記の付属装置格納部に挿入した付属スイッチを定位置に係止固定する手段として、付属スイッチのケース背面とこれに対峙する本体ケースの壁面に振り分けて設けた位置決め用の係合突起および係合溝と、付属スイッチを付属装置格納部に挿入して前記係合突起と係合溝を嵌め合わせた位置決め状態で、付属スイッチのケースをこの位置に動かないように固定する嵌合式のストッパ手段を備えたことを特徴とする回路しゃ断器。
【請求項２】
請求項１記載の回路しゃ断器において、嵌合式のストッパ手段として付属スイッチのケース前面に上下スライド式のカバーを設け、該カバーをストッパとして、付属スイッチを挿入した状態で前記カバーを後退位置から付属装置格納部の開口縁に押し込んで付属スイッチを定位置に固定することを特徴とする回路しゃ断器。
【発明の詳細な説明】
【０００１】
【発明の属する技術分野】
本発明は、低圧配電設備の過電流保護に適用するオートブレーカなどを対象に、その付属装置として主回路接点のＯＮ，ＯＦＦ状態を電気信号として検出する補助スイッチを装備した回路しゃ断器に関する。
【０００２】
【従来の技術】
まず、頭記のオートブレーカを例に、しゃ断器本体のケースに付属スイッチを装着した回路しゃ断器の従来構造を図７，図８に示す。図７において、１はしゃ断器の本体ケース（樹脂ケース）、２は本体ケース１に内蔵した主回路の電流しゃ断部、３は開閉機構部、４は過負荷電流引外し装置、５は開閉操作ハンドル、６は電流しゃ断部２の主回路接点を開閉する開閉機構部３の開閉レバー、７は付属装置（オプション品）として本体ケース１の上面に画成したポケット状の付属装置格納部８に挿入して着脱可能に装着したカセット式の付属スイッチ（主回路接点のＯＮ／ＯＦＦ状態を電気信号として検出する補助スイッチ）である。
【０００３】
ここで、前記の開閉機構部３は、操作ハンドル５のＯＮ／ＯＦＦ操作，もしくは過負荷電流引外し装置４の出力に応動するトグルリンク機構，および該トグルリンク機構に連動して主回路接点を開閉する開閉レバー６を備えている。また、開閉レバー６は、図示のように支軸６ｂを支点に揺動するシーソー形のレバーになり、その操作端６ａを電流しゃ断部２の可動接触子２ａを支持した接触子ホルダ２ｂの頂部に対峙させ、ＯＦＦ動作時に駆動ばね（図示せず）で蓄勢していたばね力を放出して開閉レバー６を時計方向に駆動し、可動接触子ホルダ２ｂを叩いて主回路接点を開極させる。逆にＯＮ操作時には駆動ばねを蓄勢しながら開閉レバー６が反時計方向に揺動して可動接触子ホルダ２ｂの上方に後退し、この動きに従動して主回路接点が閉成する。また、開閉レバー６の先端部６ｃは前記した付属装置格納部８に突き出し、ここに装着した後記する付属スイッチ７を開閉するアクチュエータとして機能する。
【０００４】
前記の構成で、操作ハンドル５を手動でＯＮ／ＯＦＦ位置に操作すると、開閉機構部３の開閉レバー６を介して電流しゃ断部２の主回路接点が開閉動作する。また、主回路に過負荷電流が流れた場合には、引外し装置４の出力信号により開閉機構部３がトリップ動作して前記と同様に主回路接点を開極させる。
一方、前記した付属スイッチ７は、図８（ａ）　〜（ｃ）　で示すようにケース（樹脂製）７ａに固定接点７ｂ，橋絡形の可動接点７ｃ，可動接触子ホルダ（上下動式のスライダ）７ｄ，可動接点７ｃの復帰ばね７ｅ、および可動接触子ホルダ７ｄに連結した操作レバー７ｆを組み込み、ケース７ａの前面に樹脂製のカバー７ｇを被せたカセット形のリミットスイッチとしてなり、前記したしゃ断器本体の付属装置収納部８へカセット式に挿入して定位置に装着すると、この装着位置で前記した操作レバー７ｆがしゃ断器本体の開閉レバー６の先端部６ｃに重なって補助スイッチ７としゃ断器本体の開閉機構部３とが連繋される。
【０００５】
この付属スイッチ７は次のように動作する。すなわち、回路しゃ断器の主回路接点が閉極したＯＮ状態では、開閉レバー６の先端部６ｃが下降しており、これにより付属スイッチ７の可動接触子ホルダ７ｄは復帰ばね７ｅのばね力により押し下げられて、可動接触子７ｃが固定接触子７ｂから開離（スイッチ接点ＯＦＦ）し、このスイッチ信号でしゃ断器の主回路接点がＯＮ状態であることを検出する。一方、ハンドル操作，あるいは引外し装置によりトリップ動作して主回路接点が開極したしゃ断器ＯＦＦの状態になると、時計方向に揺動した開閉レバー６の先端部６ｃが付属スイッチ７の操作レバー７ｆを復帰ばね７ｅに抗して上方に突き上げる。これにより、可動接点７ｃと固定接点７ｂが閉成して補助スイッチ７から主回路接点ＯＦＦの信号を出力する。
【０００６】
また、しゃ断器本体の付属装置格納部８に挿入した付属スイッチ７を定位置に係止保持させるために、図示の従来構造では図８（ｂ）　で示すようにスイッチケース７ａのカバー７ｇの前面下部に突き出した楔形の係止爪７ｈを設けておき、図７のように付属スイッチ７を本体ケース１の付属装置格納部８の中に押し込んだ際に、前記係止爪７ｈを付属装置格納部８の内壁面に形成した係合突起８ａにスナップフィット式に引っ掛けて定位置に係止固定するようにしている。
【０００７】
【発明が解決しようとする課題】
ところで、前記した付属スイッチ７の支持構造に関して、図７，図８に示した従来構造では次記のような問題点がある。すなわち、
（１）　本体ケース１の付属装置格納部８に付属スイッチ７を挿入して押し込んだ際に、付属スイッチ７のケースカバー７ｇに設けた係止爪７ｈを付属装置格納部８の係合突起８ａに引っ掛けるには、係止爪７ｈが係合突起８ａを乗り越えるようにケースカバー７ｇ自身に撓み性を持たせておく必要がある。しかしながら、カバー７ｇが撓み性を有していると、外力が加わった際にカバーが変形して補助スイッチ７の姿勢が変化し、このためにしゃ断器本体の開閉レバー６に連繋させた補助スイッチ７の動作が不安定になる。
【０００８】
（２）　また、前記構造では係止爪７ｈの係合を外して付属スイッチ７をしゃ断器本体から抜き出す作業がやり難く、さらに補助スイッチ７の着脱を繰り返し行うと係止部が変形，損耗して補助スイッチの位置決めが不安定になって信頼性が損なわれるといった問題もある。
なお、前記したスナップフィット式の係止固定方式とは別に、特開平７−１６９３５５号公報に開示されているように、付属スイッチにラッチ機構を組み込み、このラッチ機構をしゃ断器本体の付属装置格納部に引っかけて補助スイッチを定位置に係止固定するようにしたものも知られているが、このように付属スイッチのケース内にラッチ機構を組み込んだ構成では、付属スイッチの構造が複雑となるほか、外形寸法が大形になってスペース効率が悪化する。
【０００９】
本発明は上記の点に鑑みなされたものであり、その目的は前記課題を解決し、簡易な構造で、しかも補助スイッチをしゃ断器本体に装着した状態で定位置に安定よく係止固定できるように補助スイッチの取付構造を改良した回路しゃ断器を提供することにある。
【００１０】
【課題を解決するための手段】
上記目的を達成するために、本発明によれば、しゃ断器本体のケースがポケット状の付属装置格納部を有し、該格納部に挿入して定位置に装着したカセット式の付属スイッチにしゃ断器本体の開閉機構を連繋させて開閉操作するようにした回路しゃ断器において、
前記の付属装置格納部に挿入した付属スイッチを定位置に係止固定する手段として、付属スイッチのケース背面とこれに対峙する本体ケースの壁面とに振り分けて設けた位置決め用の係合突起および係合溝と、付属スイッチをしゃ断器本体の付属装置格納部に挿入して前記係合突起と係合溝を嵌め合わせた位置決め状態で、付属スイッチのケースをこの位置から動かないように固定する嵌合式のストッパ手段を備えるものする（請求項１）。
【００１１】
また、前記のストッパ手段の具体的な態様として、付属スイッチのケース前面に上下スライド式のカバーを設け、該カバーをストッパとして、付属スイッチを挿入した状態で前記カバーを後退位置から付属装置格納部の開口縁に押し込んで付属スイッチを定位置に固定させるようにする（請求項２）。
上記構成によれば、補助スイッチのケース，カバーを剛体構造とした上で、しゃ断器本体のケースに対しては剛体同士の嵌め合いにより補助スイッチを補助装置格納部の定位置に係止固定することができ、これにより補助スイッチをしゃ断器本体に繰り返し着脱して使用する場合でも、常に安定した位置決め精度が確保できて信頼性が向上する。また、補助スイッチのカバーをスライド式としてカバー自身にストッパ機能を持たせたことにより、ラッチ機構などの部品を追加する必要がなく、補助スイッチをコンパクトに構成できる。
【００１２】
【発明の実施の形態】
以下、本発明の実施の形態を図１〜図６に示す実施例に基づいて説明する。なお、実施例の図中で図７，図８に対応する部材には同じ符号を付してその説明は省略する。
まず、回路しゃ断器への補助スイッチの装着前，装着後の状態を図１（ａ），（ｂ）　および図６に、また補助スイッチを装着してない状態での回路しゃ断器の平面図を図５に示す。すなわち、回路しゃ断器の本体ケース１の上面側には左右に並ぶポケット状の補助装置格納部８が形成されており、この格納部８の開口部に連なって上方に延在する本体ケース１の壁面には格納部８に挿入した補助スイッチ７を定位置に位置決めする係合突起９を備えている。
【００１３】
一方、補助スイッチ７は基本的に図８で述べた従来構造と同じであるが、図６で示すように接点機構を組付けたケース７ａの背面には、補助スイッチの装着位置で前記係合突起９に前方から嵌まり合う係合溝（凹溝）７ｉが形成されており、さらにケース７ａの前面側には嵌合式のストッパ手段として上下方向へスライド可能に案内支持された断面コ字形のカバー７ｊが被着されている。なお、補助スイッチ７のケース７ａおよびカバー７ｊは殆ど撓み性のない硬質な樹脂で作られている。
【００１４】
また、補助スイッチ７の外形は、接点機構を内蔵した上半部の奥行寸法Ｗ（図２参照）をしゃ断器本体のケース１に形成した付属装置格納部８の奥行寸法Ｄに合わせ、可動接点の操作レバー７ｆを内蔵した下半部は上半部よりも奥行寸法が狭くなっており、この外形に合わせてスライド式カバー７ｊは、その上半部と下半部との間に奥行方向の段差ΔＷ（図２参照）を設定した段付き形状になっている。
【００１５】
次に、前記構成の補助スイッチ７を回路しゃ断器に装着する際の作業手順を図２〜図４で説明する。まず、前記した補助スイッチ７のスライド式カバー７ｊを上方に引き上げた状態で、図２で示すように補助スイッチの下半部を、本体ケース１に形成したポケット状の付属装置格納部８の穴の中に若干斜め姿勢で矢印Ｉ方向から差し込む。なお、この場合にスライド式カバー７ｊは上方に後退させているので、カバー７ｊの上半部と格納部８との不要な干渉を避けて、係合突起９と係合溝７ｉとが前後に向かい合う深さまで挿入できる。なお、この挿入状態では付属スイッチ７の操作レバー７ｆが駆動レバー６の先端に接触するが、未だ正規の位置には設定されてない。
【００１６】
続いて、図３で示すように補助スイッチ７を前方から矢印ＩＩ方向に押してケース７ａの背面に形成した係合溝７ｉを本体ケース１の壁面に形成した係合突起９に嵌め合わせる。この状態になると、付属スイッチ７は係合突起９を基準とする定位置に位置決めされる。但し、付属スイッチ７の前面と付属装置格納部８の内壁面との間には遊び間隙が残っていて前後方向には固定されてない。
【００１７】
次に、補助スイッチ７を図３の位置に保持したまま、図４のようにスライド式カバー７ｊを矢印ＩＩＩ　方向に押し下げると、カバー７ｊの上半部と下半部の間の段付き部（矢印Ｐで示す）が補助装置格納部８の開口縁部に嵌まり込んで前記の遊び間隙を塞ぐ。これにより、補助スイッチ７は正規の装着位置から上下，左右，および前後に動かないように係止固定される。
【００１８】
なお、しゃ断器本体に装着した付属スイッチを取り外す場合には、前記手順とは逆に、スライド式カバー７ｊを上方の退避位置に引き上げた上で、スイッチ全体を前方に倒して係合突起９と係合溝７ｊとの嵌め合いを解くことにより、補助スイッチ７を補助装置格納部８から簡単に引き抜くことができる。また、この補助スイッチ７の着脱を繰り返し行っても、係止固定部が変形したり、損耗したりすることはなく、常に定位置に位置決めして装着することができる。
【００１９】
なお、図示実施例では、係合突起９を本体ケース１側に、係合溝７ｉを付属スイッチ７のケース背面に形成しているが、これとは逆に係合突起を付属スイッチ７のケース背面，係合溝を本体ケース１の壁面に形成してもよい。
【００２０】
【発明の効果】
以上述べたように、本発明の構成によれば、次記の効果を奏する。
（１）　しゃ断器本体に装着する付属スイッチの位置決め部材は、従来のスナップフィット方式のように装着に際して弾性変形させる必要がないので、定位置に精度よく位置決めして固定できる。
【００２１】
（２）　また、剛体同士の嵌め合いにより補助スイッチを補助装置格納部に挿入して定位置に係止固定することができ、これにより補助スイッチをしゃ断器本体に繰り返し着脱して使用する場合でも、常に安定した位置決め精度が確保できて信頼性が向上する。
（３）　さらに、補助スイッチのカバーをスライド式として、カバー自身に補助スイッチを定位置に係止するストッパ機能を持たせたことにより、ラッチ機構などの部品を追加する必要がなく、補助スイッチをコンパクトに構成できる。
【図面の簡単な説明】
【図１】本発明の実施例による回路しゃ断器の構成図で、（ａ），（ｂ）　はそれぞれ付属スイッチの装着前，装着後の状態を表した側面図
【図２】図１における付属スイッチの装着手順の説明図であり、付属スイッチの下半部をしゃ断器本体の付属装置格納部に挿入した状態を表す図
【図３】図２に続いて補助スイッチ側の係合溝と本体ケース側の係合突起を嵌め合わせた位置決め段階の状態を表す図
【図４】図３に続いて補助スイッチのスライド式カバーを引下げて付属装置格納部に嵌め合わせた係止固定の状態を表す図
【図５】補助スイッチを取り外した状態での回路しゃ断器の平面図
【図６】図１（ａ），（ｂ）　に対応した状態を表す回路しゃ断器の外観斜視図
【図７】しゃ断器本体に補助スイッチを装着した状態を表す従来の回路しゃ断器の構成断面図
【図８】図７における補助スイッチの詳細構造図で、（ａ），（ｂ），（ｃ）　はそれぞれ背面図，側面図，およびカバーを外した状態の内部構造を表す正面図
【符号の説明】
１　　回路しゃ断器の本体ケース
２　　電流しゃ断部
３　　開閉機構部
４　　過電流引外し装置
６　　開閉レバー
７　　補助スイッチ
７ａ　ケース
７ｉ　係合溝
７ｊ　スライド式カバー
８　　補助装置格納部
９　　係合突起
【図１】
2004022443.tif 000003
【図２】
2004022443.tif 000004
【図３】
2004022443.tif 000005
【図４】
2004022443.tif 000006
【図５】
2004022443.tif 000007
【図６】
2004022443.tif 000008
【図７】
2004022443.tif 000009
【図８】
2004022443.tif 000010